(57)【要約】【課題】同軸コネクタの小型化、高周波特性の向上を図る。【解決手段】本発明に係る同軸コネクタは、先端側に接続相手の他方のコネクタ５２が接続され、基端側に同軸ケーブル５３の中心導体５８が結線される端子５４と、該端子５４の外側に設けられ、該端子５４を保持する絶縁体５５と、該絶縁体５５の外側に設けられる外部導体５６とを備え、前記端子５４は、前記他方のコネクタ５２の端子５４を挟持可能又は該他方のコネクタ５２の端子８１により挟持されるように設けられ、前記両端子５４，８１間の接続角度が鈍角となるように構成されていることを特徴とする。【選択図】          図１
2004303553.tif 000002
【特許請求の範囲】
【請求項１】
先端側に接続相手の他方のコネクタが接続され、基端側に同軸ケーブルの中心導体が結線される端子と、
該端子の外側に設けられ、該端子を保持する絶縁体と、
該絶縁体の外側に設けられる外部導体とを備え、
前記端子は、前記他方のコネクタの端子を挟持可能又は該他方のコネクタの端子により挟持されるように設けられ、前記両端子間の接続角度が鈍角となるように構成されていることを特徴とする同軸コネクタ。
【請求項２】
前記端子の先端側に傾斜部が形成されている請求項１に記載の同軸コネクタ。
【請求項３】
接続相手の一方のコネクタが嵌合可能な嵌合部内に突出する端子を備え、
該端子は、前記一方のコネクタの端子により挟持され又は該一方のコネクタの端子を挟持可能なように設けられ、前記両端子間の接続角度が鈍角となるように構成されていることを特徴とする同軸コネクタ。
【請求項４】
前記端子の基端側に傾斜部が形成されている請求項２に記載の同軸コネクタ。
【請求項５】
嵌合可能な一対のコネクタからなる同軸コネクタであって、
一方のコネクタは、
先端側に接続相手の他方のコネクタが接続され、基端側に同軸ケーブルの中心導体が結線される端子と、
該端子の外側に設けられ、該端子を保持する絶縁体と、
該絶縁体の外側に設けられる外部導体とを備え、
他方のコネクタは、
接続相手の一方のコネクタが嵌合可能な嵌合部内に突出する端子を備え、
前記各端子のうちいずれか一方の端子が他方の端子を挟持可能なように設けられ、前記両端子間の接続角度が鈍角となるように構成されていることを特徴とする同軸コネクタ。
【請求項６】
先端側に接続相手の他方のコネクタが接続され、基端側に同軸ケーブルの中心導体が結線される端子と、
該端子の外側に設けられ、該端子を保持する絶縁体と、
該絶縁体の外側に設けられる外部導体とを備え、
前記端子の先端側に空隙部が形成されていることを特徴とする同軸コネクタ。
【請求項７】
先端側に接続相手の他方のコネクタが接続され、基端側に同軸ケーブルの中心導体が結線される端子と、
該端子の外側に設けられ、該端子を保持する絶縁体と、
該絶縁体の外側に設けられる外部導体とを備え、
該外部導体は、前記他方のコネクタとの接続状態をロックするための係止部と、前記同軸ケーブルを固定するための固定部とを有し、該固定部と前記係止部とが長手方向の重複した位置に設けられていることを特徴とする同軸コネクタ。
【請求項８】
同軸ケーブルの中心導体との結線部と接続相手の他方のコネクタとの接続部とを有する端子と、
該端子の外側に設けられ、該端子の保持部を有する絶縁体と、
該絶縁体の外側に設けられる外部導体とを備え、
前記結線部及び前記保持部は共に底面側が開放された蟻溝状を成しており、前記結線部が前記保持部に嵌設可能に設けられていることを特徴とする同軸コネクタ。
【発明の詳細な説明】
【０００１】
【発明の属する技術分野】
本発明は同軸コネクタに関し、特に、高周波同軸コネクタに関する。
【０００２】
【従来の技術】
この種の同軸コネクタとしては、例えば、図１６〜図１９に示すものがあり、このコネクタ１は、端子２と、絶縁体３と、外部導体４とから概略構成されている。（例えば、特許文献１参照）。
【０００３】
【特許文献１】
特開２００１−４３９３９号公報
【０００４】
先ず、図１６を参照すると、端子２は、帯状金属材のキャリア５に所定間隔で複数設けられている。各端子２は、平坦面６を有する結線部７と、結線部７の両側からそれぞれ下方に垂直に折曲された舌片状の一対の接続部８とを有しており、切離部９でキャリア５から切離されるようになっている。
【０００５】
絶縁体３は、絶縁材料をモールド成形することにより作られ、略円筒状の本体部１０と、本体部１０の上部から基端側に延出する肩部１１と、肩部１１の反対側の本体部１０において上方に延出する中蓋部１２とを有している。本体部１０には、接続部８を収容可能な中空部１３が上下に貫通して形成され、中空部１３の両端上部には載置面１４が形成されている。
【０００６】
外部導体４は、金属板を加工して作られ、絶縁体３の本体部１０が嵌設可能な筒状部１５と、筒状部１５の基端側において肩部１１を側方から囲むように形成された囲繞部１６と、囲繞部１６の反対側の筒状部１５において上方に延出する外蓋部１７とを有している。筒状部１５の下端部には、内側に突出するように半円断面形状の係止突部１８が形成されている。また、外蓋部１７には下方から順に、基部１９、本体部用蓋部２０、肩部用蓋部２１、ケーブル把持部２２がそれぞれ形成されており、本体用蓋部２０の両側には直角に屈曲した摘み部２３が形成されている。
【０００７】
このようなコネクタ１を組立てるには、先ず、結線部７において同軸ケーブル２４の中心導体２５を半田付けして結線した後、端子２を切離部９においてキャリア５から切離す。そして、端子２を絶縁体３の中空部１３に収容し、結線部７の両端部２６を載置面１４に載置すると共に同軸ケーブル２４を肩部１１に載置する。その後、本体部１０を筒状部１５に嵌設させると共に肩部１１を囲繞部１６に嵌設させ、外部導体４の外蓋部１７を基部１９で基端側に屈曲させる。外蓋部１７の屈曲に伴い、絶縁体の中蓋部１２は、押圧され、外蓋部１７と共に屈曲し、肩部用蓋部２１が肩部１１、ケーブル把持部２２が同軸ケーブル２４をそれぞれ把持することにより、外部導体４は絶縁体３に固定される。
【０００８】
一方、接続相手のコネクタ２７は、図１７によく示されているように、端子２８と、平板状の絶縁体２９と、絶縁体２９に設けられた円筒状の外部導体３０とから概略構成されている。そして、端子２８は、絶縁体２９に沿って形成された基部３１と、基部３１から鉛直方向に屈曲形成された逆Ｕ字状の接続部３２とから成り、接続部３２は上方に突出している。また、外部導体３０の下端部には係止突部１８が係止可能な係止溝部３３が形成されている。
【０００９】
このような構成において、一方のコネクタ１を接続相手の他方のコネクタ２７に接続する場合、図１８に示すように、一方のコネクタ１の筒状部１５を他方のコネクタ２７の外部導体３０に嵌合させる。そうすると、コネクタ２７の接続部３２はコネクタ１の接続部８に挟持され、係止突部１８は係止溝部３３に係合する。この結果、両コネクタ１，２７の嵌合状態はロックされ、両コネクタ１，２７間の電気的接続状態は保持される。
【００１０】
また、一方のコネクタ１を他方のコネクタ２７から取外す場合、摘み部２３（図１６参照）を摘まみ、一方のコネクタ１を上方に引張る。そうすると、係止突部１８と係止溝部３３との係止状態が解かれ、一方のコネクタ１は他方のコネクタ２７から離脱する。
【００１１】
【発明が解決しようとする課題】
ところが、上記した従来の同軸コネクタでは、各接続部８，３２がそれぞれ結線部７及び接続部３１に対して直角を成していたため、図１８によく示されているように、伝送路３４に２箇所の直角部分３５，３６が形成されていた。そのため、この直角部分３５，３６で高周波特性が乱れ、高周波伝送特性の整合の向上が図り難いといった問題があった。また、高さ方向に２箇所の直角部分を有しているため、コネクタの低背化、小型化が困難であるといった問題があった。
【００１２】
また、同軸ケーブル２４を固定するためのケーブル把持部２２が、両コネクタ１，２７の嵌合状態をロックするための係止突部１８及び係止溝部３３から基端側の離れた位置に設けられていたため、コネクタの長手方向の寸法が長くなり、さらに、コネクタ１を取外すための摘み部２３が嵌合部たる筒状部１５の上方に必要な分、幅方向及び高さ方向の寸法が増大していた。したがって、端子の有効嵌合面積を確保しつつ、コネクタの小型化を図ることは困難であった。
【００１３】
さらにまた、摘み部２３を使用せずに、ケーブル把持部２２等を持ち上げてコネクタ１を取外そうとすると、図１９に示すように、接続部３２が絶縁体３の先端側部分３７に干渉し、先端側部分３７を破損させるおそれがあった。
【００１４】
本発明は、上記した課題を解決すべくなされたものであり、小型化、高周波特性の向上が可能な同軸コネクタを提供するものである。
【００１５】
【課題を解決するための手段】
本発明は、先端側に接続相手の他方のコネクタが接続され、基端側に同軸ケーブルの中心導体が結線される端子と、該端子の外側に設けられ、該端子を保持する絶縁体と、該絶縁体の外側に設けられる外部導体とを備え、前記端子は、前記他方のコネクタの端子を挟持可能又は該他方のコネクタの端子により挟持されるように設けられ、前記両端子間の接続角度が鈍角となるように構成されている。
【００１６】
そして、前記端子の先端側に傾斜部が形成されていてもよい。
【００１７】
また、本発明は、接続相手の一方のコネクタが嵌合可能な嵌合部内に突出する端子を備え、該端子は、前記一方のコネクタの端子により挟持され又は該一方のコネクタの端子を挟持可能なように設けられ、前記両端子間の接続角度が鈍角となるように構成されている。
【００１８】
そして、前記端子の基端側に傾斜部が形成されていてもよい。
【００１９】
さらに、本発明は、嵌合可能な一対のコネクタからなる同軸コネクタであって、一方のコネクタは、先端側に接続相手の他方のコネクタが接続され、基端側に同軸ケーブルの中心導体が結線される端子と、該端子の外側に設けられ、該端子を保持する絶縁体と、該絶縁体の外側に設けられる外部導体とを備え、他方のコネクタは、接続相手の一方のコネクタが嵌合可能な嵌合部内に突出する端子を備え、前記各端子のうちいずれか一方の端子が他方の端子を挟持可能なように設けられ、前記両端子間の接続角度が鈍角となるように構成されていることを特徴とする。
【００２０】
さらにまた、本発明は、先端側に接続相手の他方のコネクタが接続され、基端側に同軸ケーブルの中心導体が結線される端子と、該端子の外側に設けられ、該端子を保持する絶縁体と、該絶縁体の外側に設けられる外部導体とを備え、前記端子の先端側に空隙部が形成されていることを特徴とする。
【００２１】
また、先端側に接続相手の他方のコネクタが接続され、基端側に同軸ケーブルの中心導体が結線される端子と、該端子の外側に設けられ、該端子を保持する絶縁体と、該絶縁体の外側に設けられる外部導体とを備え、該外部導体は、前記他方のコネクタとの接続状態をロックするための係止部と、前記同軸ケーブルを固定するための固定部とを有し、該固定部と前記係止部とが長手方向の重複した位置に設けられていることを特徴とする。
【００２２】
また、本発明は、同軸ケーブルの中心導体との結線部と接続相手の他方のコネクタとの接続部とを有する端子と、該端子の外側に設けられ、該端子の保持部を有する絶縁体と、該絶縁体の外側に設けられる外部導体とを備え、前記結線部及び前記保持部は共に底面側が開放された蟻溝状を成しており、前記結線部が前記保持部に嵌設可能に設けられていることを特徴とする。
【００２３】
このような構成により、端子間の接続角度が鈍角を成しているため、端子間の有効嵌合面積を確保しつつ、高さ方向の寸法の縮小化が可能となる。また、両コネクタの嵌合状態をロックするための係止部と、同軸ケーブルを固定するための固定部とが重複した位置に設けられているため、コネクタの長手方向の寸法を短縮できる。さらに、嵌合部の上方に位置するような摘み部等を使用せず、ケーブル挟持部７９を持ち上げるだけで、コネクタを取外すことができるため、幅方向及び高さ方向の寸法も短縮可能となる。したがって、コネクタの低背化、小型化を図ることができる。
【００２４】
【発明の実施の形態】
以下、図面を参照しつつ、本発明の実施の形態を説明する。
【００２５】
図１〜図１３は本発明の実施の形態に係る同軸コネクタを示しており、一方のコネクタ５１が他方のコネクタ５２に嵌合することにより両コネクタ５１，５２が電気的に接続されるようになっている。
【００２６】
図３に最も良く示されているように、一方のコネクタ５１は、同軸ケーブル５３（図９参照）の先端部に結線される端子５４と、端子５４の外側に設けられる絶縁体５５と、絶縁体５５の外側に設けられる外部導体５６とから概略構成されている。端子５４の基端側には、図５によく示されているように、底面側が開放された蟻溝状を成す結線部５７が形成されており、結線部５７に同軸ケーブル５３の中心導体５８が結線されるようになっている。なお、蟻溝状とは、図５に示すような三角形状に限らず、矩形、円形等で底面側が狭まっており、底面側に抜け落ちないような形状をも含むものである。また、端子５４の先端側には、結線部５７の左右側壁５９から先端方向に延出する左右一対の接続部６０が形成されており、接続部６０は後述する接続相手の他方のコネクタ５２の端子８１の接続部８５を挟持可能となっている。
【００２７】
絶縁体５５の中央部分には、図５及び図７によく示されているように、底面側が開放された蟻溝状を成す端子保持部６１が形成されていると共に端子保持部６１の先端側に矩形溝６２が形成されており、端子保持部６１に結線部５７を嵌設すると、接続部６０が矩形溝６２内に遊嵌するようになっている。矩形溝６２の先端側には溝状の空隙部６３が形成され、保持部６１の基端側には蟻溝状のケーブル保持部６４が形成されており、図６によく示されているように、ケーブル保持部６４は端子保持部６１と同一断面形状を成している。また、絶縁体５５の底面側には、端子保持部６１及びケーブル保持部６４に向かって上方に傾斜する誘導部６５が形成されている。絶縁体５５の各側壁の先端部６６には、外面に傾斜面６７が形成され、先端部６６は先細形状を成している。絶縁体５５の各側壁の中央部分には突起部６８が形成され、突起部６８の基端側はテーパ状を成している。さらに、絶縁体５５の上面の先端側中央部には長手方向に沿って隆起部６９が形成され、隆起部６９の両側はテーパ状を成している。
【００２８】
外部導体５６は、絶縁体５５の上面及び両側壁を概略覆うように金属板をコの字状に屈曲することにより形成され、左右側壁７０には、他方のコネクタ５２との接続状態をロックするための係止突部７１，７２が先端側及び基端側にそれぞれ形成されている。そして、各側壁７０にはそれぞれ、基端側係止突部７２の下方から内側に折返すようにケーブル把持部７３が屈曲形成されている。このように、ケーブル把持部７３は、外部導体５６の長手方向に対して基端側係止突部７２と重複した位置に設けられているので、外部導体５６の長さ方向の寸法を短縮することができる。また、各側壁７０の先端側係止突部７１の基端側には突起部６８が係止可能な係止孔８０が穿設されており、各側壁７０の先端部内側に面取り部７４が形成されている。さらに、外部導体５６の上面７５には、先端側中央部にＴ字状の切欠部７６が形成され、切欠部７６に絶縁体５５の隆起部６９が遊嵌するようになっている。また、上面７５の内面には、基端部に同軸ケーブル５３が干渉しないように凹部７８が形成されている。なお、必ずしも必要ではないが、本実施の形態においては、ケーブル把持部７３の基端側にさらにケーブル挟持部７９が設けられており、ケーブル挟持部７９の下端部は外側に広がるように形成されている。
【００２９】
図１０に最も良く示されているように、他方のコネクタ５２は、端子８１と、端子８１を保持する絶縁体８２と、絶縁体８２と一体成形される外部導体８３とから概略構成されている。端子８１の先端側には、棒状の基部８４が設けられ、基部８４は基板（図示せず）の所定回路に接続されるようになっている。また、端子８１の基端側には、基端側斜め上方に延出するように平板状の接続部８５が形成され、接続部８５と基部８４との内角が鈍角を成すように、傾斜部１０９が形成されている。
【００３０】
絶縁体８２は矩形平板状を成し、基端部の一部分はさらに基端方向に延出している。そして、絶縁体８２の中央部には接続部８５が貫設可能な端子孔８６が設けられ、端子孔８６の両側にはそれぞれスリット孔８７が設けられている。絶縁体８２の先端部には、中央部に位置決め突起８８が突設され、位置決め突起８８の両側に位置決め溝８９が形成されている。また、絶縁体８２の底面側には、先端中央部から端子孔８６に掛けて基部８４が嵌設可能な端子溝９０が形成され、さらに、左右端部から各スリット孔８７に掛けてそれぞれ幅広溝９１が形成されている。
【００３１】
外部導体８３は金属板を略コの字状に屈曲して形成され、略平板状の左右側壁９２の各内面には、先端側及び基端側にそれぞれ係止凹部９３，９４が形成されている。各係止凹部９３，９４から側壁９２の上端部に掛けては案内溝９５，９６が形成され、案内溝９５，９６の上端部は拡幅されている。そして、左右側壁９２の先端側にはそれぞれ、下端部から外側水平に延出する支持部９７が屈曲形成され、支持部９７はスリット孔８７に嵌着可能となっている。また、外部導体８３の先端壁９８には、下端部中央に前記位置決め突起８８が係合可能な欠込み部９９が形成され、さらに、欠込み部９９の両側の下端部から先端方向に延出部１００が形成され、延出部１００は位置決め溝８９に係合可能となっている。
【００３２】
一方のコネクタ５１を組立てるには、図３に示されているように、先ず、端子５４を絶縁体５５の基端側からケーブル保持部６４に挿入し、結線部５７を端子保持部６１に嵌設する。この時、結線部５７と端子保持部６１は共に底面側が開放された蟻溝状を成しているため、結線部５７は端子保持部６１に確実に保持され、コネクタ５１を取外す際に端子５４に作用する下向きの力に対しても充分耐えることができる。また、この時、接続部６０は矩形溝６２内に遊嵌され、左右方向に弾性変形可能に設けられる。
【００３３】
次に、端子５４を保持した絶縁体５５を外部導体５６に先端側から挿入すると、面取り部７４が突起部６８に当接し、外部導体５６は左右側方に弾性変形する。絶縁体５５を外部導体５６内にさらに押込むと、突起部６８が係止孔８０に係合し、外部導体５６は、元の状態に戻り、絶縁体５５が固定された状態となる。この状態において、隆起部６９は切欠部７６に遊嵌し、さらに、先端部６６は先細形状を成し、外部導体５６の先端部の内側に隙間が形成されるため、外部導体５６の先端部は左右方向に弾性変形可能となる。また、この時、絶縁体５５の基端側にケーブル把持部７３が位置しているため、絶縁体５５が外部導体５６内に過度に押込まれるおそれがない。そのため、外部導体５６は絶縁体５５の所定位置に確実に保持される。さらにまた、突起部６８の基端側がテーパ状を成しているため、外部導体５６への絶縁体５５の装着作業は円滑に行なうことができる。
【００３４】
その後、図８によく示されているように、同軸ケーブル５３の中心導体５８を結線部５７内に挿入し、結線部５７内の中心導体５８を治具１０１により押し広げる。これにより、中心導体５８が結線部５７から飛び出るのを防止することができる。そして最後に、同軸ケーブル５３をそれぞれケーブル保持部６４、ケーブル把持部７３、及びケーブル挟持部７９に装着する。この時、ケーブル保持部６４には誘導部６５が形成され、ケーブル把持部７３には下端部に湾曲した折返し部１０２が形成され、さらにケーブル挟持部７９の下端部は外側に広がって形成されているため、同軸ケーブルの装着作業は円滑に行なうことができる。そして、このように、端子５４、絶縁体５５、及び外部導体５６はいずれも底面側が開放されており、コネクタ５１の組立てをすべて底面側から行なうことができ、さらに、結線部５７に対する中心導体５８及びケーブル把持部７３に対する同軸ケーブル５３の外部導体の半田付け作業を組立て後に底面側から行なうことができるため、組立作業が簡略化され、また、コネクタが小型であっても容易に組立作業ができ、製造コストの低減化を図ることが可能となる。さらにまた、同軸ケーブル５３の外部導体と半田付けされるケーブル把持部７３は、外部導体５６から折返して設けられて離間しているので、半田付け作業中に半田やフラックスが外部導体５６に付着するおそれがなく、作業の簡略化、信頼性の向上を図ることができる。
【００３５】
また、他方のコネクタ５２は、絶縁体８２をモールド成形する際に、その型内の所定位置に端子８１及び外部導体８３を予め位置決めした状態で一体成形することにより製造する。これにより、端子８１は、接続部８５が端子孔８６に貫設されると共に基部８４が端子溝９０に嵌設された状態で、絶縁体８２に保持される。また、外部導体８３は、欠込み部９９、延出部１００がそれぞれ、絶縁体８２の位置決め突起８８、位置決め溝８９に係合されると共に支持部９７がスリット孔８７に嵌設された状態で、絶縁体８２に固定される。この結果、他方のコネクタ５２には、絶縁体８２と外部導体８３により、一方のコネクタ５１が嵌合可能な嵌合部１０３（図１参照）が形成され、端子８１の接続部８５は嵌合部１０３内で基端側上方に突出した傾斜姿勢を保持するようになる。また、外部導体８３の側壁９２は、図１に示すように、先端側部分が固定され、基端側部分は絶縁体８２から基端側に突出した状態で絶縁体８２に保持されるので、幅方向に弾性変形可能な状態となる。
【００３６】
次に、主に、図１，２、及び図１１〜１３を参照しつつ、一方のコネクタ５１を他方のコネクタ５２に着脱させる時の作用を説明する。
【００３７】
一方のコネクタ５１を他方のコネクタ５２に装着する場合、他方のコネクタ５２を基板（図示せず）の所定位置に配置し、端子８１の基部８４を前記基板の所定回路に接続させた状態で、係止突部７１，７２が係止凹部９３，９４にそれぞれ合致するように位置決めした上で、一方のコネクタ５１を嵌合部１０３に嵌合させる。この時、一方のコネクタ５１側の外部導体５６の先端部及び他方のコネクタ５２側の外部導体８３の基端側部分がいずれも幅方向に弾性変形可能に形成されており、さらに、他方のコネクタ５２側の外部導体８３には案内溝９５，９６が形成されているので、コネクタ５１，５２を嵌合させる際の位置決め作業が容易となり、作業の円滑化が図れる。また、係止突部７１，７２及び係止凹部９３，９４はそれぞれ外部導体５６，８３の略平板状に形成された側壁７０，９２に設置されているので、これらの設置位置の寸法精度を高めることが容易となり、係止突部７１，７２と係止凹部９３，９４との係合動作を精度良く行なうことができる。さらに、係止突部７１と係止凹部９３との係合箇所が先端側にあり、係止突部７２と係止凹部９４との係合箇所が同軸ケーブル５３からの外力を受けやすい基端側にあるため、両コネクタ５１，５２の接続状態を確実にロックすることができる。
【００３８】
そして、嵌合状態では、図１２に示すように、他方のコネクタ５２の端子８１の接続部８５は一方のコネクタ５１側の端子５４の接続部６０に挟持され、両端子５４，８１間の接続角度は鈍角となる。したがって、伝送路１０４中に高周波特性の乱れる要因となる直角部分がなく、高周波伝送特性の整合の向上が図れる。また、この結果、端子間の有効嵌合面積を確保しつつ、高さ方向の寸法を短縮することができるので、コネクタの低背化、小型化も可能となる。
【００３９】
また、一方のコネクタ５１を他方のコネクタ５２から取外す場合、図１３に示すように、ケーブル挟持部７９を上方に持ち上げる。そうすると、他方のコネクタ５２側の外部導体８３の基端側部分が左右外側に弾性変形し、基端側の係止突部７２と係止凹部９４との係合状態が解かれる。そして、さらに、ケーブル挟持部７９を持ち上げると、接続部６０，８５同士の接続状態、及び先端側の係止突部７１と係止凹部９４との係合状態も解かれ、一方のコネクタ５１は他方のコネクタ５２から離脱する。この時、一方のコネクタ５１側の接続部６０の先端側には空隙部６３が形成されており、コネクタの取外し作業中に、他方のコネクタ５２側の接続部８５が絶縁体５５と干渉することがないので、絶縁体５５が破損等するおそれはない。このように、ケーブル挟持部７９を持ち上げるだけで、コネクタを取外すことができるので、作業の簡素化を図ることができる。さらに、他方のコネクタ５２の端子８１の接続部８５に傾斜部１０９が形成されているため、一方のコネクタ５１を斜め抜きした場合に接続部８５が絶縁体５５と干渉し難い構造となっている。したがって、空隙部６３の領域を最小限にすることができる。
【００４０】
なお、各コネクタ５１，５２の端子５４，８１は、上記した形状に限定されるものではなく、例えば、図１４に示されているように、一方のコネクタ５１側の端子１０５を先端側下方に傾斜する形状とし、他方のコネクタ５２側の端子１０６を上方に直角に屈曲する形状としてもよく、或いは、図１５に示されているように、両方の端子１０７，１０８を共に鈍角に傾斜するような形状としてもよい。また、特に図示しないが、一方のコネクタ５１の接続部６０の先端側上部を切除して傾斜部を形成させてもよく、さらに、各コネクタ５１，５２の端子５４，８１は、必ずしも直線状に形成されている必要はなく、湾曲状に形成されていてもよい。さらにまた、上記した実施の形態の場合とは反対に、他方のコネクタ５２側の端子８１が一方のコネクタ５１側の端子５４を挟持するような構成にしてもよい。
【００４１】
さらに、ケーブル把持部２２の形状は、上記した形状に限定されるものではなく、同軸ケーブル２４を外部導体４側に固定可能なように各種変更が可能であることは言う迄もない。
【００４２】
【発明の効果】
以上述べた如く本発明によれば、端子間の接続角度が鈍角を成すように構成されているため、高さ方向の寸法の縮小化が可能となる。また、両コネクタの嵌合状態をロックするための係止部と、同軸ケーブルを固定するための固定部とが重複した位置に設けられているため、コネクタの長手方向の寸法を短縮できる。さらに、嵌合部の上方に位置するような摘み部等を使用せず、ケーブル挟持部を持ち上げるだけで、コネクタを取外すことができるため、幅方向及び高さ方向の寸法も短縮可能となる。したがって、コネクタの低背化、小型化を図ることができる。
【図面の簡単な説明】
【図１】本発明の実施の形態を示す斜視図である。
【図２】本発明の実施の形態を示す斜視図である。
【図３】本発明の実施の形態を示す分解斜視図である。
【図４】本発明の実施の形態を示す底面図である。
【図５】図４のＡ−Ａ断面図である。
【図６】図４のＢ−Ｂ断面図である。
【図７】図４のＣ−Ｃ断面図である。
【図８】本発明の実施の形態における端子の結線部を示す断面図である。
【図９】本発明の実施の形態を示す斜視図である。
【図１０】本発明の実施の形態を示す分解斜視図である。
【図１１】本発明の実施の形態を示す断面図である。
【図１２】本発明の実施の形態を示す断面図である。
【図１３】本発明の実施の形態を示す断面図である。
【図１４】本発明の実施の形態における端子の別の実施例を示す側面図である。
【図１５】本発明の実施の形態における端子のさらに別の実施例を示す側面図である。
【図１６】従来例を示す分解斜視図である。
【図１７】従来例を示す断面図である。
【図１８】従来例を示す断面図である。
【図１９】従来例を示す断面図である。
【符号の説明】
５１          一方のコネクタ
５２          他方のコネクタ
５３          同軸ケーブル
５４          端子
５５          絶縁体
５６          外部導体
５７          結線部
６０          接続部
６１          端子保持部
６３          空隙部
７１          係止突部
７２          係止突部
７３          ケーブル把持部
７６          切欠部
８１          端子
８２          絶縁体
８３          外部導体
９３          係止凹部
９４          係止凹部
１０３        嵌合部
１０５        端子
１０６        端子
１０７        端子
１０８        端子
【図１】
2004303553.tif 000003
【図２】
2004303553.tif 000004
【図３】
2004303553.tif 000005
【図４】
2004303553.tif 000006
【図５】
2004303553.tif 000007
【図６】
2004303553.tif 000008
【図７】
2004303553.tif 000009
【図８】
2004303553.tif 000010
【図９】
2004303553.tif 000011
【図１０】
2004303553.tif 000012
【図１１】
2004303553.tif 000013
【図１２】
2004303553.tif 000014
【図１３】
2004303553.tif 000015
【図１４】
2004303553.tif 000016
【図１５】
2004303553.tif 000017
【図１６】
2004303553.tif 000018
【図１７】
2004303553.tif 000019
【図１８】
2004303553.tif 000020
【図１９】
2004303553.tif 000021